(57)【要約】【解決手段】第１の通信システムにアクセスするために、端末は、アクセスプローブのための送信時間、システムからの予定応答時間、及び、送信時間及び／又は予定応答時間に基づく保護時間を決定する。端末は、端末が別の周波数／エアインタフェースをモニタすることになっているチューンアウェイ間隔と、保護時間がオーバーラップしないように、アクセスプローブを送信する開始時間を決定する。この開始時間は先ず、前のアクセスプローブの終わりに、準ランダムな待機期間を加えて設定される。そして、必要な場合には、保護時間間隔が、チューンアウェイ間隔とオーバーラップしないように選択された時間期間まで、時間早められるか、あるいは遅らされる。【選択図】      図８
2008538663.tif 000002
【特許請求の範囲】
【請求項１】
アクセス要求を第１の通信システムに送信することができる保護時間間隔を決定し、
前記保護時間間隔がチューンアウェイ間隔とオーバーラップしないように、前記アクセス要求を送信する開始時間を決定し、
前記開始時間において、前記アクセス要求の前記第１の通信システムへの送信を開始する
ように構成されたコントローラを備える装置。
【請求項２】
受信機を更に備え、
前記保護時間間隔は、前記受信機が前記第１の通信システムに調整される時間間隔であり、前記チューンアウェイ間隔は、前記受信機が前記第１の通信システムからチューンアウェイされる時間間隔である請求項１に記載の装置。
【請求項３】
前記コントローラは更に、前記アクセス要求に対する前記第１の通信システムからのアクノレッジメントのための予定応答時間を決定し、かつ、前記予定応答時間に基づいて前記保護時間間隔を決定するように構成された請求項１に記載の装置。
【請求項４】
前記コントローラは更に、前記アクセス要求の送信時間を決定し、かつ、前記送信時間に基づいて、前記保護時間間隔を決定するように構成された請求項１に記載の装置。
【請求項５】
前記コントローラは更に、前記アクセス要求を送信するための初期時間を決定し、かつ、前記開始時間におけるアクセス要求の送信の結果、前記保護時間間隔が前記チューンアウェイ間隔とオーバーラップしないように選択されたゼロ又はゼロではない時間間隔を、前記初期時間に加えるか、あるいは引いた時間に、前記開始時間を設定するように構成された請求項１に記載の装置。
【請求項６】
前記コントローラは更に、準ランダムな待機期間を決定し、かつ、前のアクセス要求の終わりに、前記準ランダムな待機期間を加えた時間に前記初期時間を設定するように構成された請求項５に記載の装置。
【請求項７】
前記コントローラは更に、前記開始時間を、前のアクセス要求の終わりの時間に初期化し、準ランダムな待機期間を決定し、前記開始時間を、前記準ランダムな待機期間まで早め、準ランダムな待機期間を決定することと、前記開始時間におけるアクセス要求の送信によって、前記保護時間間隔が前記チューンアウェイ間隔とオーバーラップしなくなるまで前記開始時間を早めることとを繰り返すように構成された請求項１に記載の装置。
【請求項８】
前記コントローラは更に、前記受信機に対して、前記チューンアウェイ間隔の前に、第２の通信システムに調整するように指示し、かつ、前記受信機に対して、前記チューンアウェイ間隔の後に、前記第１の通信システムに調整して戻すよう指示するように構成された請求項２に記載の装置。
【請求項９】
前記コントローラは更に、前記チューンアウェイ間隔中、前記第２の通信システムからページングチャネルを受信するように構成された請求項８に記載の装置。
【請求項１０】
前記チューンアウェイ間隔は、第２の通信システムのために割り当てられたページングスロットに対応する請求項１に記載の装置。
【請求項１１】
前記チューンアウェイ間隔は、第２の通信システムからのシグナリング送信又はパイロット送信に対応する請求項１に記載の装置。
【請求項１２】
前記チューンアウェイ間隔は、第２の通信システムのための測定間隔に対応する請求項１に記載の装置。
【請求項１３】
受信機が前記第１の通信システムに調整される時間間隔である保護時間間隔を、第１の通信システムへ送られるアクセス要求のために決定することと、
前記受信機が前記第１の通信システムからチューンアウェイされる時間間隔であるチューンアウェイ間隔と、前記保護時間間隔がオーバーラップしないように、前記アクセス要求を送信する開始時間を決定することと、
前記開始時間において、前記アクセス要求を前記第１の通信システムへ送信することと
を備える方法。
【請求項１４】
前記アクセス要求のために保護時間間隔を決定することは、
前記アクセス要求から送信時間を決定することと、
前記アクセス要求に対する前記第１の通信システムからのアクノレッジメントの予定応答時間を決定することと、
前記送信時間と前記予定応答時間とのうちの少なくとも１つに基づいて、前記保護時間間隔を決定することと
を備える請求項１３に記載の方法。
【請求項１５】
前記アクセス要求を送信する開始時間を決定することは、
準ランダムな待機期間を決定することと、
前のアクセス要求の終わりに、前記準ランダムな待機期間を加えた時間に前記開始時間を設定することと、
調整された開始時間におけるアクセス要求の送信によって、前記保護時間間隔が前記チューンアウェイ間隔とオーバーラップしないように、必要な場合には、選択された時間期間まで、前記開始時間を早めるか、又は遅らせて調整することと
を備える請求項１３に記載の方法。
【請求項１６】
前記受信機を、前記チューンアウェイ間隔前に、第２の通信システムに調整することと、
前記第２の通信システムからページングチャネルを受信することと、
前記受信機を、前記チューンアウェイ間隔後に、前記第１の通信システムに調整して戻すことと
を更に備える請求項１３に記載の方法。
【請求項１７】
第１の通信システムへ送信されるアクセス要求のため、前記第１の通信システムへ受信機が調整される時間間隔である保護時間間隔を決定する手段と、
前記受信機が前記第１の通信システムからチューンアウェイされる時間間隔であるチューンアウェイ間隔と、前記保護時間間隔がオーバーラップしないように、前記アクセス要求を送信する開始時間を決定する手段と、
前記開始時間において、前記アクセス要求を前記第１の通信システムへ送信する手段と
を備える装置。
【請求項１８】
前記アクセス要求のため前記保護時間間隔を決定する手段は、
前記アクセス要求のための送信時間を決定する手段と、
前記アクセス要求に対する前記第１の通信システムからのアクノレッジメントのための予定応答時間を決定する手段と、
前記予定応答時間と前記送信時間とに基づいて前記保護時間間隔を決定する手段と
を備える請求項１７に記載の装置。
【請求項１９】
前記アクセス要求を送信する開始時間を決定する手段は、
準ランダムな待機期間を決定する手段と、
前のアクセス要求の終わりに、前記準ランダムな待機期間を加えた時間に前記開始時間を設定する手段と、
調整された開始時間におけるアクセス要求の送信によって、前記保護時間間隔が前記チューンアウェイ間隔とオーバーラップしないように、必要な場合には、選択された時間期間まで、前記開始時間を早めるか、あるいは遅らせて調整する手段と
を備える請求項１７に記載の装置。
【請求項２０】
前記受信機を、前記チューンアウェイ間隔前に、第２の通信システムに調整する手段と、
前記第２の通信システムからページングチャネルを受信する手段と、
前記受信機を、前記チューンアウェイ間隔後に、前記第１の通信システムに調整し戻す手段と
を更に備える請求項１７に記載の装置。
【請求項２１】
無線デバイス内のプロセッサに、
第１の通信システムへ送信されるアクセス要求のため、前記第１の通信システムに受信機が調整される時間間隔である保護時間間隔を決定させ、
前記受信機が前記第１の通信システムからチューンアウェイされる時間間隔であるチューンアウェイ間隔と、前記保護時間間隔がオーバーラップしないように、前記アクセス要求を送信する開始時間を決定させ、
前記開始時間において、前記アクセス要求を前記第１の通信システムへ送信するように指示させる計算機実行可能命令を含む計算機読取可能媒体を備える物品。
【請求項２２】
更に、
前記アクセス要求のための送信時間を決定し、
前記アクセス要求に対する前記第１の通信システムからのアクノレッジメントのための予定応答時間を決定し、
前記予定応答時間と前記送信時間とに基づいて前記保護時間間隔を決定する命令を格納する請求項２１に記載の物品。
【請求項２３】
更に、
準ランダムな待機期間を決定し、
前記開始時間を、前のアクセス要求の終わりに、前記準ランダムな待機期間を加えた時間に設定し、
調整された開始時間におけるアクセス要求の送信によって、前記保護時間間隔が前記チューンアウェイ間隔とオーバーラップしないように、必要な場合には、選択された時間期間まで、前記開始時間を早めるか、あるいは遅らせて調整する命令を格納する請求項２１に記載の物品。
【請求項２４】
更に、
前記受信機に、前記チューンアウェイ間隔前に、第２の通信システムに調整するように指示し、
前記第２の通信システムからページングチャネルを受信するように指示し、
前記受信機に、前記チューンアウェイ間隔後に、前記第１の通信システムに調整し戻るように指示する
命令を格納する請求項２１に記載の物品。
【請求項２５】
システムアクセスを行なう方法であって、
データのみの通信システムへ送られるアクセス要求のため、前記データのみの通信システムへ受信機が調整される時間間隔である保護時間間隔を決定することと、
前記受信機が、データ及び音声の通信システムへ調整される時間間隔であるチューンアウェイ間隔と、前記保護時間間隔がオーバーラップしないように、前記アクセス要求を送信する開始アクセスチャネルサイクルを決定することと、
前記開始アクセスチャネルサイクルにおいて、前記アクセス要求を前記データのみの通信システムへ送信することと
を備える方法。
【請求項２６】
前記アクセス要求のための前記保護時間間隔を決定することは、
前記アクセス要求の送信時間を決定することと、
前記アクセス要求に対する前記データのみの通信システムからのアクノレッジメントの予定応答時間を決定することと、
前記予定応答時間と前記送信時間とに基づいて、前記保護時間間隔を設定することと
を備える請求項２５に記載の方法。
【請求項２７】
前記アクセス要求を送信する開始アクセスチャネルサイクルを決定することは、
準ランダムな待機期間を決定することと、
前のアクセス要求の終わりに、前記準ランダムな待機期間を加えた時間の直後に位置する第１のアクセスチャネルサイクルに前記開始アクセスチャネルサイクルを設定することと、
前記第１のアクセスチャネルサイクルにおける前記アクセス要求の送信によって、前記保護時間間隔が前記チューンアウェイ間隔とオーバーラップする場合には、前記開始アクセスチャネルサイクルとして第２のアクセスチャネルサイクルを選択することと
を備える請求項２５に記載の方法。
【請求項２８】
前記第２のアクセスチャンネルサイクルは、前記第１のアクセスチャンネルサイクルの後にある請求項２７に記載の方法。
【請求項２９】
前記受信機を、前記チューンアウェイ間隔前に、前記データ及び音声の通信システムへ調整することと、
前記データ及び音声の通信システムからページングチャネルを受信することと、
前記受信機を、前記チューンアウェイ間隔後に、前記データのみの通信システムに調整して戻すことと
を更に備える請求項２５に記載の方法。
【発明の詳細な説明】
【技術分野】
【０００１】
本開示は、一般に、通信に関し、特に、無線通信システムにアクセスしモニタする技術に関する。
【背景技術】
【０００２】
無線通信システムは、例えば、音声、パケットデータ、ビデオ、ブロードキャスト、メッセージ等のような様々な通信サービスを提供するために広く展開している。これらのシステムは、利用可能なシステムリソースを共有することにより、多くのユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多重（ＯＦＤＭ）、及びオポチュニティドリブン多元接続（ＯＤＭＡ：Opportunity Driven Multiple Access）を含んでいる。ＣＤＭＡシステムは、広帯域ＣＤＭＡ（Ｗ−ＣＤＭＡ）又はｃｄｍａ２０００のようなラジオアクセス技術（ＲＡＴ）を実施しうる。それはＩＳ−２０００、ＩＳ−８５６及びＩＳ−９５規格をカバーする。ＴＤＭＡシステムは、グローバル移動体通信システム（ＧＳＭ）のようなＲＡＴを実施しうる。これら様々なＲＡＴ及び規格は当該技術において周知である。
【０００３】
幾つかの無線通信システムは、音声及びパケットのデータサービスを提供することができ、「データ及び音声」システムと称されうる。そのような１つのシステムは、ＩＳ−２０００及び／又はＩＳ−９５を実施する、１ｘＥＶ−ＤＶ("Evolution Data-Voice")システムである。音声データサービスとパケットデータサービスは、異なる特性を有する。例えば、音声サービスは、一般に、全てのユーザに対し、比較的厳格な遅延に加え、一般的なサービス等級（ＧｏＳ：grade of service）を要求する。対照的に、パケットデータサービスは、異なるユーザに対する異なるＧｏＳ及び可変遅延を許容できうる。音声及びパケットの両方のデータサービスをサポートするために、１ｘＥＶ−ＤＶシステムは、先ず、音声ユーザにシステムリソースを割り当て、次に、より長い遅延を許容することができるパケットデータユーザに、残りのシステムリソースを割り当てうる。
【０００４】
幾つかの無線通信システムは、パケットデータサービスのために最適化され、「データのみの」システムと称されうる。そのような１つのシステムは、ＩＳ−８５６を実施する１ｘＥＶ−ＤＯ("Evolution Data-Optimized")システムである。パケットデータ送信は一般に、トラフィックバーストで中断する長い静寂期間によって特徴付けられる。
【０００５】
サービスプロバイダは、その加入者に高度なサービスを提供するために、多数の無線通信システムを展開しうる。例えば、サービスプロバイダは、大規模な地理的領域に音声及びパケットのデータサービスを提供するために、１ｘＥＶ−ＤＶシステムを展開しうる。また、パケットデータ利用が高いと予想される領域にパケットデータサービスを提供するために、１ｘＥＶ−ＤＯシステムを展開しうる。これら２つのシステムの有効範囲領域は一般にオーバーラップする。
【０００６】
ハイブリッド端末は、１ｘＥＶ−ＤＶシステム及び１ｘＥＶ−ＤＯシステムと通信しうる。この端末は一般に、端末の位置及び所望のサービスに依存して、任意の瞬間において、２つのシステムのうちの１つからサービスを受信することができる。この端末は、１ｘＥＶ−ＤＶシステムに登録し、ページ及び他のメッセージのためにこのシステムをモニタするかもしれない。この端末は、その後、パケットデータサービスを取得するために、１ｘＥＶ−ＤＯシステムへのアクセスを試みるかもしれない。そして、この端末は、１ｘＥＶ−ＤＯアクセス状態に入り、１ｘＥＶ−ＤＯシステムにアクセスするためのタスクのシーケンスを実行するだろう。この端末が１ｘＥＶ−ＤＯアクセス状態にある時間中、この端末は一般に、ページ及び他のメッセージのために１ｘＥＶ−ＤＶシステムをモニタすることができない。従って、この端末は、１ｘＥＶ−ＤＯシステムへのアクセスを試みている間、到来する呼びを見逃すかもしれない。それは、非常に望ましくない。
【発明の開示】
【０００７】
本出願は、"Method to Allow Monitoring of IS2000/IS95 System During 1XEVDO Access Channel Operation for Hybrid Access Terminals"と題され、２００５年２月３日に出願された米国特許仮出願番号６０／６４９，９５９号、及び、"Techniques for Accessing a Wireless Communication System with Tune-Away Capability"と題され、２００５年７月１２日に出願された米国特許仮出願番号６０／６９８，５６６号の利益を主張する。
【発明を実施するための最良の形態】
【０００８】
用語「典型的」（"exemplary"）は、本明細書では「例、インスタンス、又は例示」として役立つことを意味するように使用される。本明細書で「典型的」と記載されたあらゆる実施形態又は設計は、他の実施形態又は設計に対して必ずしも好適であるとか有利であるとか解釈される必要はない。
【０００９】
本明細書では、第２の通信システム（例えば、１ｘＥＶ−ＤＶシステム）へのチューンアウェイ（tune-away）機能を用いて第１の通信システム（例えば、１ｘＥＶ−ＤＯシステム）にアクセスするための技術が開示される。明瞭にするために、これらの技術は、特に、１ｘＥＶ−ＤＶシステム及び１ｘＥＶ−ＤＯシステムについて説明する。
【００１０】
好適な実施形態では、端末は、アクセスプローブ（リクエスト）が第１のシステムへ送られるための保護時間間隔と、端末が第１のシステムからチューンアウェイされるチューンアウェイ間隔と、保護時間間隔とがオーバーラップしないようにアクセスプローブを送るための開始時間とを決定する。そして、端末は、この開始時間において、第１のシステムにアクセスプローブを送る。
【００１１】
実施形態では、端末は、第１のシステムにアクセスするために少なくとも１つのアクセスプローブを送信し、アクセスプローブ間の準ランダムな期間の間、待機する必要があるかもしれない。ページ及び他のメッセージを受信し、及び／又は、その他のタスクを実行するために、端末は、チューンアウェイ間隔と称されるある時間間隔において、受信機を第２のシステムへ調整する必要がある。
【００１２】
第１のシステムにアクセスするために、端末は、アクセスプローブのための送信時間と、アクセスプローブに対する第１のシステムからのアクノレッジメントのための予定応答時間とを決定する。そして、端末は、送信時間及び／又は予定応答時間に基づいて、アクセスプローブのための保護時間間隔を決定する。この保護時間間隔は、受信機が第１のシステムへ調整される時間間隔であり、予定応答時間、又は、予定応答時間に送信時間を加えたものに等しい。そして端末は、アクセスプローブを送るための開始時間（例えば、開始アクセスチャネルサイクル）を決定しうる。これによって、保護時間間隔は、この端末が、例えばページングチャネルをモニタするために第２のシステムに調整されるチューンアウェイ間隔とオーバーラップしない。この開始時間は、前のアクセスプローブの終わりに、準ランダムな待機期間を加えた時間に初期設定される。この開始時間は、必要な場合には、保護時間間隔が、チューンアウェイ間隔とオーバーラップしないように選択された時間期間まで早められるか、あるいは遅らされる。そして、端末は、この開始時間において、第１のシステムにアクセスプローブを送る。端末は、チューンアウェイ間隔の前に第２のシステムに調整し、第２のシステムについて要求された任意のタスクを実行し、次に、チューンアウェイ間隔の終わりにおいて、第１のシステムへ調整して戻る。端末は同様にして、その後の各プローブを送りうる。
【００１３】
図１は、１ｘＥＶ−ＤＯシステムが１ｘＥＶ−ＤＶシステムをオーバレイしている典型的な配置１００を示す。１ｘＥＶ−ＤＶシステムは、これら基地局の有効範囲領域内にある端末１３０のために音声とパケットのデータサービスを提供する多くの基地局１１０を含む。同様に、１ｘＥＶ−ＤＯシステムは、これらの基地局の有効範囲領域内にある端末１３０のためにパケットデータサービスを提供する多くの基地局１２０を含む。基地局１１０，１２０は、異なるサイトに位置するか、あるいは同じサイトに共に位置しうる。基地局コントローラ（ＢＳＣ）１４２は、基地局１１０に接続しており、これらの基地局のために調整及び制御を与える。同様に、ＢＳＣ１４４は、基地局１２０に接続しており、これらの基地局のために調整及び制御を与える。ＢＳＣ１４２，１４４は更に、１ｘＥＶ−ＤＶシステムと１ｘＥＶ−ＤＯシステムとの間の通信をサポートするネットワークエンティティ１４０に接続している。
【００１４】
一般に、基地局（１ｘＥＶ−ＤＶ）は、端末と通信するために使用される固定局であり、アクセスポイント（１ｘＥＶ−ＤＯ）、ノードＢ（Ｗ−ＣＤＭＡ）、基地トランシーバ局（ＢＴＳ）、あるいはその他の幾つかの用語で称されうる。端末は、固定式あるいは移動式であり、移動局（１ｘＥＶ−ＤＶ）、アクセス端末（１ｘＥＶ−ＤＯ）、ユーザ機器（Ｗ−ＣＤＭＡ）、無線デバイス、加入者ユニット、あるいは他の幾つかの用語で称されうる。下記の記載では、用語「基地局」は固定局のために使用される。また、用語「端末」は、固定局と通信する無線デバイスに使用される。
【００１５】
図１では、両端に矢印を有する実線は、端末と基地局の間の通信を示す。一端に矢印を有する破線は、基地局からのパイロット及び／又はシグナリングの端末による受信を示す。端末は、任意の瞬間において、順方向リンク及び／又は逆方向リンクによって１又は複数の基地局と通信しうる。順方向リンク（又はダウンリンク）は、基地局から端末への通信リンクを称する。また、逆方向リンク（又はアップリンク）は、端末から基地局への通信リンクを称する。
【００１６】
ハイブリッド端末は、１ｘＥＶ−ＤＶシステムに登録しうる。そして、この端末が、１ｘＥＶ−ＤＶシステムにおける任意の基地局とアクティブにデータを交換していない場合、アイドル状態で動作しうる。アイドル状態では、この端末は、一般に、端末に適用可能なメッセージのために、１ｘＥＶ−ＤＶシステムからのページングチャネル（ＰＣＨ）をモニタする。そのようなメッセージは、到来する呼びの存在に対して端末に警報するページメッセージと、端末のためのシステム及びその他の情報を運ぶオーバヘッドメッセージとを含みうる。
【００１７】
ＩＳ−２０００及びＩＳ−９５では、ページングチャネルはＰＣＨスロットへ分割される。ＰＣＨスロットそれぞれの持続時間は８０ミリ秒（ｍｓ）である。端末は、それぞれＴＳＣ秒のスロットサイクルにおいて１つのＰＣＨスロットが割り当てられる。それは次のように与えられる。  
【数１】
2008538663.tif 000003
【００１８】
ここでＳＣＩは、端末に適用可能なスロットサイクルインデクスであり、端末とシステムとの間でネゴシエートされる。ＳＣＩは−４から＋７の範囲に及び、スロットサイクルは、８０ミリ秒から１６３．８４秒の範囲に及ぶ。各スロットサイクルは、１６×２ＳＣＩのＰＣＨスロットを含む。それらは、１から１６×２ＳＣＩのインデクスが割り当てられる。端末は、端末の識別情報によって決定される特定のスロットインデクスが割り当てられる。この識別情報は、各端末にユニークな国際移動電話加入者識別番号（ＩＭＳＩ）と、移動電話識別番号（ＭＩＮ）と、電子シリアル番号（ＥＳＮ）と、テンポラリ電話加入者識別番号（ＴＭＳＩ）等でありうる。端末のＰＣＨスロットインデクスは固定され、そのスロットインデクスを持つ各ＰＣＨスロットは、割当済ページングスロットと称される。端末は、各スロットサイクルにおいて、割当済ページングスロットを処理する。なぜなら、メッセージが、このページングスロットで端末に送られうるからである。
【００１９】
図２は、１ｘＥＶ−ＤＶシステム内の端末によってページングチャネルを処理するスケジュールを示す。アイドル状態におけるバッテリ電力を節約するために、端末は、スロットモードで作動しうる。これによって、（１）１ｘＥＶ−ＤＶシステムは、割当済ページングスロット内でのみ端末へメッセージを送り、（２）端末は、割当済ページングスロットの間、メッセージを求めてページングチャネルをモニタする。スロットモードでは、端末は、各スロットサイクルにおいて、割当済ページングスロットの前に、スリープ状態からアウェイク状態へ遷移し、ページングチャネルをモニタし、他の機能を実行して、１ｘＥＶ−ＤＶシステムとの通信リンクを保つ。アウェイク時間は、端末がアウェイク状態にある時間期間を意味し、スリープ時間は、端末がスリープ状態にある時間期間を意味する。アウェイク時間は一般に、割当済ページングスロット、端末内の回路のために必要なセットアップ時間及び起動時間、及びソフトウェアオーバヘッド並びに「クリーンアップ」時間に及ぶ。保守的な割当済ページングスロットのためのアウェイク時間の開始は、ＴＳＣ秒離される。
【００２０】
単一の受信機を多重化する時間分割によって、ハイブリッド端末は、１ｘＥＶ−ＤＶ端末及び１ｘＥＶ−ＤＯ端末の両方で動作することができる。ハイブリッド端末は、１ｘＥＶ−ＤＯシステムとのアクティブな接続を維持して、１ｘＥＶ−ＤＶシステムにおいてパケットデータサービスを取得し、ページングチャネルをモニタすることができる。これは、（１）１ｘＥＶ−ＤＶシステムに対する割当済ページングスロットの前に、一時的に１ｘＥＶ−ＤＯ接続を停止させ、（２）ページングチャネルを受信するために１ｘＥＶ−ＤＶシステムに受信機を調整し、（３）１ｘＥＶ−ＤＶページングチャネルを処理した後に、受信機を１ｘＥＶ−ＤＯシステムへ調整して戻し、１ｘＥＶ−ＤＯ接続を再開することによって達成されうる。１ｘＥＶ−ＤＯ接続は、非同期のデータバーストに基づくので、１ｘＥＶ−ＤＯ接続の一時的な停止及び再開は、実際には、ユーザ、又は、端末で動作しているアプリケーションによって気付かれない。そのような技術を用いて、ハイブリッド端末は、１ｘＥＶ−ＤＶページングチャネルのモニタリングにおいて、最小のインパクトで１ｘＥＶ−ＤＯシステム上で動作することができる。
【００２１】
上述した動作は、ハイブリッド端末が既に１ｘＥＶ−ＤＯシステムにアクセスし、１ｘＥＶ−ＤＯシステムとのアクティブな接続を確立した場合のためである。従来、端末は、１ｘＥＶ−ＤＯシステムへのアクセスを試みている間、ページングチャネルをモニタすることができない。この理由は、後述するように、端末は、１ｘＥＶ−ＤＯシステムにアクセスするために、タイムクリティカルなタスクのシーケンスを行なう必要があり、そして、１ｘＥＶ−ＤＶページングチャネルをモニタするために受信機をチューンアウェイ（調整をはずす）することは、このタスクのシーケンスを中断させるかもしれないからである。
【００２２】
端末は、１ｘＥＶ−ＤＯシステムにアクセスするために、１ｘＥＶ−ＤＯアクセス状態に入り、アクセス手順を実行する。アクセス手順のために、端末は、１ｘＥＶ−ＤＯシステムに１又は複数のアクセスプローブを送信する。１ｘＥＶ−ＤＯシステムは、端末からのアクセスプローブの受信の成功を認識するアクセスチャンネルアクノレッジメント（ＡＣＡｃｋ）メッセージをもって応答する。ＩＳ−８５６は、アクセスプローブが送信することができる方法を指定する。
【００２３】
ＩＳ−８５６では、アクセスプローブは、アクセスチャンネル上で、１ｘＥＶ−ＤＯシステムへ送信される。このアクセスチャンネルは、アクセスチャネルサイクルに分割される。各アクセスチャネルサイクルは、期間が設定可能なＮａｃｄ個のスロットを有する。各スロットは、１．６６７ミリ秒（ｍｓ）の期間を有し、スロット単位で与えられるシステム時間Ｔｓｙｓ＿ｓによって識別される。アクセスチャンネルサイクルは、Ｔｓｙｓ＿ｓｍｏｄ  Ｎａｃｄ＝０であるスロットにおいて開始する。ここで、ｍｏｄは、モジュロ演算を示す。アクセスプローブは、新しく始まるアクセスチャネルサイクルにおいてのみ送信されうるが、１又は複数のアクセスチャネルサイクルに及びうる。
【００２４】
ＩＳ−８５６では、周期的に生じる指定された静寂間隔中、逆方向リンクでの送信ができない。各静寂間隔は、ＮＳＩ個のフレームからなる設定可能な期間を有する。各フレームは、２６．６７ｍｓ（１６スロット）の期間を有し、フレーム単位で与えられる。システム時間Ｔｓｙｓ＿ｆによって識別される。静寂間隔は、  
【数２】
2008538663.tif 000004
【００２５】
であるフレームにおいて始まる。
【００２６】
図３は、１ｘＥＶ−ＤＯシステムへアクセスするためのスケジュールを示す。これはアクセスプローブスケジュールと称される。端末は、１ｘＥＶ−ＤＯシステムに、最大Ｎｓ個のアクセスプローブシーケンスを送信し、各アクセスプローブシーケンスに対し最大Ｎｐのアクセスプローブを送信しうる。ここで、ＮｐとＮｓとは設定可能なパラメータである。
【００２７】
端末は、第１のアクセスプローブシーケンスを開始する前に、持続性試験を行なう。持続性試験は、アクセスチャンネル上の混雑を制御するために使用される。持続性試験のために、端末は、０と１の間で擬似乱数ｘを生成し、ｘを閾値ｑと比較し、ｘがｑ未満である場合、成功を宣言する。なお、ｑは、各端末のクラスのために設定可能なパラメータである。持続性試験が成功する場合、あるいは、持続性試験が４／ｑ回連続して失敗する場合、端末は、アクセスプローブの送信を開始することができる。
【００２８】
持続性試験に合格した後、端末は、アクセスチャネル上で第１のアクセスプローブを送信し、次に、１ｘＥＶ−ＤＯシステムからのＡＣＡｃｋメッセージに聞き耳を立てる。ＡＣＡｃｋメッセージが受信されない場合、端末は、前のアクセスプローブの終わりから数えて、Ｔｐ個のスロットからなるランダムな期間待つ。このランダムな待機期間Ｔｐは、プローブ間バックオフとも称され、以下のように計算される。先ず端末は、変数ｙｔｏｔａｌをゼロに設定する。端末は、次に、０とＮｐｂｏとの間で一様に分布する擬似乱数ｙを生成する。ここで、Ｎｐｂｏは、アクセスプローブ間の最大待機期間（アクセスチャネル期間の単位）である。端末は、変数ｙｔｏｔａｌを、ｙｔｏｔａｌ＝ｙｔｏｔａｌ＋ｙに更新し、次に、以下のようにしてランダムな待機時間Ｔｐを計算する。  
【数３】
2008538663.tif 000005
【００２９】
ここで、Ｔａｃｋ＿ｍａｘは、別のアクセスプローブを送る前に、ＡＣＡｃｋメッセージを待つ最大時間量である。Ｔａｃｋ＿ｍａｘは、ＩＳ−８５６では１２８スロットである。
【００３０】
そして、端末は、第２のアクセスプローブが送信される時間間隔を決定する。このプローブ送信間隔が、静寂間隔とオーバーラップする場合、端末は、静寂間隔後にアクセスプローブを送信する。これは、新たな擬似乱数ｙを生成し、この新たなｙを現在のｙｔｏｔａｌに加え、新たなランダム待機期間Ｔｐを計算することによって達成される。プローブ送信間隔が、静寂間隔とオーバーラップしなくなるまで、端末は、待機期間を増加させ続ける。そして、端末は、第１のアクセスプローブの終了後、Ｔｐ個のスロット後、第２のアクセスプローブを送信する。
【００３１】
端末は、同様にして、第１のアクセスプローブシーケンスにおいて次のアクセスプローブをそれぞれ送信し、つまり、アクセスプローブを送信し、ＡＣＡｃｋメッセージに聞き耳を立て、ランダム期間待機し、別のアクセスプローブを送信する。端末は、第１のアクセスプローブシーケンスのために最大Ｎｐ個のアクセスプローブを送信しうる。
【００３２】
端末が、第１のアクセスプローブシーケンスのためにＮｐ個全てのアクセスプローブを送信し、かつ、ＡＣＡｃｋメッセージを受信しないのであれば、端末は、第２のアクセスプローブシーケンスを開始する前に、Ｔｓ個のスロットからなるランダムな期間待機する。このランダムな待機期間Ｔｓは、シーケンス間バックオフとも称され、プローブ間のランダムな待機期間Ｔｐと同様にして計算される。ただし、擬似乱数ｙは、０とＮｓｂｏとの間で一様に分布される。なお、Ｎｓｂｏは、アクセスプローブシーケンス間の最大待機期間である。そして、端末は、第１のアクセスプローブシーケンスと同様にして、第２のアクセスプローブシーケンスを送信する。端末は、アクセス手順のために、最大Ｎｓ個のアクセスプローブシーケンスを送信しうる。
【００３３】
アクセス手順のため、端末は、（１）１ｘＥＶ−ＤＯシステムからのＡＣＡｃｋメッセージが受信されるか、（２）アクセスプローブの最大数が送信されるかの何れかまで、一度に１つずつアクセスプローブを送信し続ける。図３に示す例の場合、端末は、第２のアクセスプローブシーケンスで第３のアクセスプローブを送信した後、Ｔａｃｋ個のスロット後、ＡＣＫｃｋメッセージを受信する。端末は、このＡＣＡｃｋメッセージを受信すると、アクセスプローブの送信をやめる。端末が、最大数のアクセスプローブシーケンスを送り、かつ、最後のアクセスプローブの後に、Ｔａｃｋ＿ｍａｘ個のスロット内でＡＣＡｃｋメッセージを未だに受信しないのであれば、端末は、失敗表示とともに、１ｘＥＶ−ＤＯアクセス状態を出る。
【００３４】
上述したアクセス手順は、端末が、アクセスプローブスケジュールのため、タイムクリティカルなタスクのシーケンスを実行することを示す。端末は、恐らく、このアクセスプローブスケジュールを中断することなく、１ｘＥＶ−ＤＶページングチャネルをモニタするために受信機をチューンアウェイすることができない。端末は、（１）プローブ間待機期間Ｔｐ、及びシーケンス間待機期間Ｔｓのランダムな特性により、及び、（２）１ｘＥＶ−ＤＯシステムからのＡＣＡｃｋメッセージの非同期な特徴により、割当済ページングスロット中、１ｘＥＶ−ＤＶシステムにチューンアウェイすることができない。
【００３５】
図４は、１ｘＥＶ−ＤＶページングチャネルのモニタリング、及び、従来式のハイブリッド端末による１ｘＥＶ−ＤＯシステムへのアクセスを示す。従来式のこの端末は、時間Ｔａにおいて、１ｘＥＶ−ＤＯアクセス状態に入る前に、１ｘＥＶ−ＤＶページングチャネルのモニタを停止し、アクセス手順を完了し、かつ、時間Ｔｂにおいて、１ｘＥＶ−ＤＯアクセス状態から出た後に、１ｘＥＶ−ＤＶページングチャネルをモニタすることを再開する。従来式のこの端末は、１ｘＥＶ−ＤＯアクセス状態にある間、図４に示すように、割当済ページングスロットが、時間Ｔａと時間Ｔｂとの間にあるのであれば、ページメッセージを見逃すかもしれない。
【００３６】
アクセスプローブスケジュールは、ハイブリッド端末が、１ｘＥＶ−ＤＯシステムにアクセスしながら、システム間タスクを行なうことを可能にするように修正されうる。そのようなシステム間タスクは、別のシステム（例えば１ｘＥＶ−ＤＶシステム）上でページングチャネルをモニタし、パイロット測定を行ない、シグナリングを受信するか、別の周波数及び／又は別のシステム上等で他の幾つかのタスクを行いうる。アクセスプローブスケジュールに対する修正は、以下に述べるように、１ｘＥＶ−ＤＯシステムアクセス用のハイブリッド端末の動作に最小のインパクトしか与えず、１ｘＥＶ−ＤＯシステムに気がつかない。
【００３７】
この修正されたアクセスプローブスケジュールの実施形態では、端末は、アクセスプローブが１ｘＥＶ−ＤＯシステムに送られるように、以下に示すように、合計プローブ間隔を決定する。  
【数４】
2008538663.tif 000006
【００３８】
ここで、Ｔａｐは、アクセスプローブの送信時間である。
【数５】
2008538663.tif 000007
【００３９】
は、アクセスプローブに対する１ｘＥＶ−ＤＯシステムからのＡＣＡｃｋメッセージの推定応答時間である。また、  
Ｔｔｏｔａｌは合計プローブ間隔である。  
式（３）に示すように、合計プローブ間隔は、１ｘＥＶ−ＤＯシステムからのＡＣＡｃｋメッセージの推定応答時間と、アクセスプローブのための送信時間と加えた時間を含んでいる。ＩＳ−８５６は、アクセスプローブを受信する９６スロット内でＡＣＡｃｋメッセージを送信するように基地局に要求する。ＩＳ−８５６は、別のアクセスプローブを送る前に、最大１２８スロットまで待機するよう端末に要求する。この推定応答時間
【数６】
2008538663.tif 000008
【００４０】
は、９６スロットから１２８スロットの間の値  
【数７】
2008538663.tif 000009
【００４１】
又は、その他の値に設定されうる。  
【数８】
2008538663.tif 000010
【００４２】
の値は、フィールド測定、コンピュータシミュレーション等に基づいて決定されうる。
【００４３】
端末は、端末が受信機を別のシステムに調整する必要がある時間間隔であるチューンアウェイ（tune-away）間隔と、合計プローブ間隔とがオーバーラップしないようにアクセスプローブを送信する。このチューンアウェイ間隔は、１ｘＥＶ−ＤＶシステムにおける割当済ページングスロット、他のシステムからのパイロット又はシグナリング送信、又はその他幾つかのイベントに対応しうる。端末は、合計プローブ間隔がチューンアウェイ間隔とオーバーラップしないというプローブ送信基準を満足するアクセスチャネルサイクルにおいて始まってアクセスプローブを送信する。この開始アクセスチャンネルサイクルは、様々な方法で決定されうる。
【００４４】
開始アクセスチャンネルサイクルを決定するための第１のスキームでは、端末はまず、（もしあれば）ＩＳ−８５６で規定され上述したような通常の方式によって、アクセスプローブのランダムな待機期間を決定する。そして、端末は、合計プローブ間隔の何れかの部分が、チューンアウェイ間隔とオーバーラップするかを判定する。オーバーラップするのであれば、端末は、合計プローブ間隔が、チューンアウェイ間隔とオーバーラップしないように、アクセスプローブの送信を遅らせるか、あるいは早める。
【００４５】
第１のアクセスプローブシーケンスにおける第１のアクセスプローブの場合、端末は、チューンアウェイ間隔の直後のアクセスチャネルサイクルにおいて、アクセスプローブを送信しうる。第１のアクセスプローブシーケンスにおける引き続く各アクセスプローブについて、端末は、ランダムな待機期間Ｔｐに、Ｎａ個のスロットを加える。ここでＮａは、合計プローブ間隔が、チューンアウェイ間隔とオーバーラップしないように選択される。Ｎａは、プローブ送信基準を満足する最少数のスロットでありうる。あるいは、  
【数９】
2008538663.tif 000011
【００４６】
である場合、端末は、ランダムな待機期間ＴｐからＮｂ個のスロットを引く。ここで、Ｎｂは、合計プローブ間隔がチューンアウェイ間隔とオーバーラップしないように選択される。引き続く各アクセスプローブシーケンスにおける第１のアクセスプローブについて、端末は、合計プローブ間隔が、チューンアウェイ間隔とオーバーラップしないように、シーケンス間のランダムな待機期間ＴｓにＮａ個のスロットを加えるか、あるいは、ＴｓからＮｂ個のスロットを引く。引き続くアクセスプローブは、それぞれ同じ方法で送信されうる。
【００４７】
図５は、チューンアウェイ機能を用いたアクセスプローブの送信を示す。端末は、時間Ｔ１において第１のアクセスプローブを送信し、このアクセスプローブに対するＡＣＡｃｋメッセージを受信しない。そして、端末は、第２のアクセスプローブのためにランダムな待機期間Ｔｗを決定する。ここで、Ｔｗは、Ｔｓ又はＴｐの何れかでありうる。端末は次に、式（３）に示すように、第２のアクセスプローブのための合計プローブ間隔Ｔｔｏｔａｌを決定する。この合計プローブ間隔は、時間Ｔ４と時間Ｔ７との間にある。ここでＴ４は、時間Ｔ２における第１のアクセスプローブの終了後、Ｔｗスロットを加えた時間である。端末は、チューンアウェイ間隔である時間Ｔ６と時間Ｔ８との間でチューンアウェイする必要がある。合計プローブ間隔は、時間Ｔ６と時間Ｔ７との間でチューンアウェイ間隔とオーバーラップするので、端末は、第２のアクセスプローブの送信を遅らせるか、あるいは早める。
【００４８】
第２のアクセスプローブの送信を遅らせるために、端末は、ランダムな待機期間ＴｗにＮａ個のスロットを加える。ここで、Ｎａは、  
【数１０】
2008538663.tif 000012
【００４９】
になるように選択される。よって、待機期間は、  
【数１１】
2008538663.tif 000013
【００５０】
となる。端末は、時間Ｔ６において、別のシステムにチューンアウェイし、必要なタスクを行い、時間Ｔ８において、１ｘＥＶ−ＤＯシステムへ戻り、時間Ｔ８の後である時間Ｔ９において第２のアクセスプローブを送信しうる。
【００５１】
第２のアクセスプローブの送信を早めるために、端末は、ランダムな待機期間ＴｗからＮｂ個のスロットを引く。ここで、Ｎｂは、  
【数１２】
2008538663.tif 000014
【００５２】
になるように選択される。そして、端末は、時間Ｔ３において第２のアクセスプローブを送信する。時間Ｔ３は、第１のアクセスプローブの終了後のスロットであり、少なくとも、時間Ｔ６におけるチューンアウェイ間隔の開始よりもＴｔｏｔａｌ前である。端末は、時間Ｔ６よりも前である時間Ｔ５において、第２のアクセスプローブの送信と、ＡＣＡｃｋメッセージのための待機とを完了する。そして、端末は、時間Ｔ６において、別のシステムへチューンアウェイし、必要なタスクを実行し、時間Ｔ８において、１ｘＥＶ−ＤＯシステムに戻る。
【００５３】
開始アクセスチャンネルサイクルを決定するための第２のスキームでは、端末は、第１のアクセスプローブの送信を遅らせ、静寂間隔と同様な方法でチューンアウェイ間隔を考慮することによって、その後の各アクセスプローブのためにランダムな待機期間を決定する。この第１のアクセスプローブシーケンスにおける第１のアクセスプローブについて、端末は、何れかの静寂間隔及びチューンアウェイ間隔の直後のアクセスチャネルサイクルにおいて、このアクセスプローブを送信しうる。第１のアクセスプローブシーケンスにおける次の各アクセスプローブについて、端末は、擬似乱数ｙを生成し、式（２）に示すように、ランダムな待機期間Ｔｐを計算する。そして、端末は、（１）プローブ送信間隔が静寂間隔とオーバーラップするか、あるいは、（２）合計プローブ間隔がチューンアウェイ間隔とオーバーラップするかを判定する。条件（１）又は（２）の何れかが真である場合、端末は、新たな擬似乱数ｙを生成し、この新たなｙを現在のｙｔｏｔａｌに加え、新たなランダムな待機期間Ｔｐを計算する。端末は、（ａ）プローブ送信間隔が、静寂間隔とオーバーラップすることなく、（ｂ）合計プローブ間隔が、チューンアウェイ間隔とオーバーラップしなくなるまで、待機期間Ｔｐを増加させ続ける。そして、端末は、前のアクセスプローブの終了後、Ｔｐ個のスロット後、次のアクセスプローブを送信する。
【００５４】
端末は、同様にして、アクセスプローブシーケンス間のランダムな待機期間Ｔｓを計算する。端末は、（ａ）プローブ送信間隔が、静寂間隔とオーバーラップすることなく、（ｂ）合計プローブ間隔が、チューンアウェイ間隔とオーバーラップしなくなるまで、待機期間Ｔｓを増加させ続ける。そして、端末は、前のシーケンスの最後のアクセスプローブの終了後、Ｔｓ個のスロット後、新たなシーケンスである第１のアクセスプローブを送信する。
【００５５】
合計プローブ間隔が、チューンアウェイ間隔とオーバーラップするのであれば、第２のスキームは、アクセスプローブの遅延された送信となる。しかしながら、アクセスプローブは、チューンアウェイ間隔の終了直後におけるアクセスチャネルサイクルの代わりに、チューンアウェイ間隔の終わりから、幾つかの擬似乱数のスロット数であるアクセスチャネルサイクルで始まって送信される。
【００５６】
図６は、１ｘＥＶ−ＤＯシステムへアクセスし、修正されたアクセスプローブスケジュールを用いてハイブリッド端末によって１ｘＥＶ−ＤＶページングチャネルをモニタする例を示す。第１のアクセスプローブシーケンスでは、端末は、通常の方式で、第１及び第２のアクセスプローブを送信し、ＡＣＡｃｋメッセージを受信しない。第３のアクセスプローブでは、端末は、ランダムな待機期間Ｔｐと合計プローブ間隔を決定し、合計プローブ間隔が、チューンアウェイ間隔とオーバーラップすることを認識し、もって、第３のアクセスプローブの送信を、Ｎａスロット遅らせる。遅れのないアクセスプローブ送信を、図６中の破線ボックスによって示す。第３のアクセスプローブの送信を遅らせることによって、端末は、１ｘＥＶ−ＤＶページングチャネルをモニタするためにチューンアウェイすることが可能となる。次のアクセスプローブの送信は、これらアクセスプローブのうちの何れをも遅らせる必要なく、通常の方法で進む。
【００５７】
図６に示すように、修正されたアクセスプローブスケジュールによって、端末は、チューンアウェイし、アクセス手順における短い割り込みによって、別のシステムをモニタすることが可能となる。チューンアウェイ機能が無いと、端末は、１ｘＥＶ−ＤＯシステムへのアクセス中に１ｘＥＶ−ＤＶページングチャネルをモニタすることはできず、ページメッセージを見失うかもしれない。このチューンアウェイ機能は、１ｘＥＶ−ＤＯシステムアクセスによって、見失われるページレートを顕著に減少しうる。
【００５８】
上述した実施形態の場合、アクセスプローブは、合計プローブ間隔が、チューンアウェイ間隔の何れか部分ともオーバーラップしないように送信される。端末が１ｘＥＶ−ＤＶシステムへ送信する必要が無く、ページメッセージのために１ｘＥＶ−ＤＶシステムと、ＡＣＡｃｋメッセージのために１ｘＥＶ−ＤＯシステムとの間をモニタしている受信機を、時分割多重化することのみ必要なのであれば、この制約は緩和されうる。
【００５９】
修正されたアクセスプローブスケジュールの別の実施形態では、端末は、予定応答時間がチューンアウェイ間隔とオーバーラップしないようにアクセスプローブを送信する。この実施形態の場合、プローブ送信時間は、チューンアウェイ間隔とオーバーラップしうる。なぜなら、端末は、１ｘＥＶ−ＤＯシステムへ送信し、同時に、１ｘＥＶ−ＤＶシステムから受信できるからである。図５に示すような遅延アクセスプローブ送信例では、第２のアクセスプローブが時間Ｔ８より早く送信が開始され、時間Ｔ９において、あるいは時間Ｔ９の後に完了する。
【００６０】
上記記載では、合計プローブ間隔（又は予定応答時間）が、チューンアウェイ間隔とオーバーラップするのであれば、端末は、アクセスプローブの送信を遅らせるか、あるいは早める。端末はまた、アクセス手順を終了し、チューンアウェイ間隔が予め定めた期間（例えば５００ｍｓ）を超えるのであれば、１ｘＥＶ−ＤＯアクセス状態を出るかもしれない。端末は、１ｘＥＶ−ＤＯアクセス状態を出ると、失敗表示を与えうる。
【００６１】
図７は、チューンアウェイ機能を用いて１ｘＥＶ−ＤＯシステムにアクセスするハイブリッド端末によって行なわれる処理７００を示す。処理７００は、合計プローブ間隔が、チューンアウェイ間隔とオーバーラップしないように、端末は、アクセスプローブの送信を遅らせるか、又は早める実施形態のためのものである。
【００６２】
先ず、端末は、現在のアクセスプローブシーケンスの変数ｓを１に設定し、現在のアクセスプローブの変数ｐを１に設定する（ブロック７１０）。新たなアクセスプローブシーケンスを始める前に、端末は、持続性試験を行う（ブロック７１２）。そして、（１）持続性試験が成功したか、あるいは、（２）持続性試験の連続失敗数が４／ｑを超えたかが判定される。両条件とも偽であり、ブロック７１４において、答えが「Ｎｏ」である場合、端末はブロック７１２に戻り、別の持続性試験を実行する。一方、何れの条件が真であり、答えが「Ｙｅｓ」である場合、端末はブロック７２０に進み、新たなアクセスプローブシーケンスを開始する。
【００６３】
新たなアクセスプローブを送信する前に、端末は、合計プローブ間隔がチューンアウェイ間隔とオーバーラップしないように、アクセスプローブを送るための開始アクセスチャネルサイクルを決定する（ブロック７２０）。この開始アクセスチャネルサイクルは、上述した第１又は第２のスキームに基づいて、あるいは、その他の方法で決定されうる。その後、端末は、開始アクセスチャネルサイクルにおいて、新たなアクセスプローブを送る（ブロック７２２）。アクセスプローブの送信後、端末は、ＡＣＡｃｋメッセージを待つ。ＡＣＡｃｋメッセージが受信されたブロック７２４で判定されると、端末は、成功表示をもってアクセス手順を終了する（ブロック７２６）。一方、アクセスプローブの終了から  
【数１３】
2008538663.tif 000015
【００６４】
個のスロット後に、ＡＣＡｃｋメッセージが受信されない場合には、アクセスプローブの最大数が、現在のアクセスプローブシーケンスのために送られたか、すなわち、ｐ＝Ｎｐであるかが判定される（ブロック７３０）。答えがＮｏである場合、変数ｐはインクリメントされる（ブロック７３２）。そして、端末は、プローブ間のランダムな待機期間Ｔｐを決定し、この期間待機する（ブロック７３４）。そして、端末は、ブロック７２０に戻り、現在のアクセスプローブシーケンスの新たなアクセスプローブを送信する。
【００６５】
現在のアクセスプローブシーケンスの最大数のアクセスプローブが送られ、ブロック７３０の答えが「Ｙｅｓ」であれば、最大数のアクセスプローブシーケンスが送られたか、すなわち、ｓ＝Ｎｓであるかが判定される（ブロック７４０）。答えがＮｏである場合、変数ｓはインクリメントされる（ブロック７４２）。そして、端末は、シーケンス間のランダムな待機期間Ｔｓを決定し、この期間待機する（ブロック７４４）。そして、端末は、ブロック７１２に戻り、新たなアクセスプローブシーケンスを開始する前に、持続性テストを行う。ブロック７４０に戻って、最大数のアクセスプローブシーケンスが送られ、答えが「Ｙｅｓ」である場合、端末は、失敗表示をもってアクセス手順を終了する（ブロック７４６）。
【００６６】
明確化のために、チューンアウェイ機能を用いたアクセス技術が、具体的に、１ｘＥＶ−ＤＶシステム、及び１ｘＥＶ−ＤＯシステムについて記述された。これらの技術は、例えば、Ｗ−ＣＤＭＡシステム、ＧＳＭシステム、ＩＥＥＥ  ８０２．１１ネットワークのような無線ローカルエリアネットワーク（ＷＬＡＮ）、直交周波数分割多元接続（ＯＦＤＭＡ）システム等の他の無線通信システムにも使用されうる。これらの技術によって、端末は、１又は複数の他のシステムのためのタスクを実行しながら、システムにアクセスすることが可能となる。例えば、端末は、１ｘＥＶ−ＤＶシステムにおいてページングチャネルをモニタしたり、Ｗ−ＣＤＭＡシステム及び／又はＧＳＭシステムにおいてパイロット測定を行いながら１ｘＥＶ−ＤＯシステムにアクセスすることができる。
【００６７】
図８は、第２の通信システム（例えば１ｘＥＶ−ＤＶシステム）へのチューンアウェイ機能を用いて第１の通信システム（例えば１ｘＥＶ−ＤＯシステム）にアクセスするハイブリッド端末によってなされる処理８００を示す。端末は、第１のシステムへ送られるアクセスプローブの送信時間（ブロック８１０）と、アクセスプローブに対する第１のシステムからのアクノレッジメントの予定応答時間（ブロック８１２）とを決定する。そして、端末は、送信時間及び／又は予定応答時間に基づいて、アクセスプローブのための保護時間間隔を決定する（ブロック８１４）。保護時間間隔は、受信機が第１のシステムに調整される時間間隔であり、（１）予定応答時間と、（２）送信時間に予定応答時間を加えた時間との間にありうる。
【００６８】
そして端末は、保護時間間隔がチューンアウェイ間隔とオーバーラップしないように、アクセスプローブを送る開始時間を決定する（ブロック８１６）。この開始時間は、前のアクセスプローブの終わりに、準ランダムな待機期間を加えたものに初期設定される。この開始時間は、必要であれば、保護時間間隔がチューンアウェイ間隔とオーバーラップしないように選択された時間期間まで早められたり、あるいは遅らされうる。そして、端末は、開始時間において、アクセスプローブを第１のシステムへ送る（ブロック８１８）。ブロック８２０において、別のアクセスプローブが送られるべきであると判定されると、端末は、ブロック８１０に戻り、そうでない場合には処理を終了する。
【００６９】
図９は、ハイブリッド端末１３０の実施形態のブロック図を示す。端末１３０は、複数のシステム（例えば１ｘＥＶ−ＤＶと１ｘＥＶ−ＤＯシステム）との通信のための無線モデム、コントローラ９４０、メモリ９４２、及びタイマ９４４を含んでいる。送信経路上では、端末１３０によって送られるデータ及びシグナリングがエンコーダ９２２によって処理（例えば、フォーマット、符合化、及びインタリーブ）され、更に、変調器（Ｍｏｄ）９２４によって処理（例えば、変調、拡散、チャネル化、及びスクランブル）されてデータチップのストリームが生成される。送信機ユニット（ＴＭＴＲ）９３２は、このデータチップストリームを調整（例えば、アナログ変換、フィルタ、増幅、及び周波数アップコンバート）して、逆方向リンク信号を生成する。これは、アンテナ９３６を経由して送信される。受信経路上では、システム内の基地局によって送信された順方向リンク信号がアンテナ９３６によって受信され、受信機ユニット（ＲＣＶＲ）９３８に提供される。受信機ユニット９３８は、受信した信号を調整（例えば、フィルタ、増幅する、周波数ダウンコンバート、及びデジタル化）し、データサンプルを生成する。復調器（Ｄｅｍｏｄ）９２６は、このデータサンプルを処理（例えば、逆スクランブル、逆拡散、チャネル化、及び復調）し、シンボル推定値を得る。デコーダ９２８は更に、このシンボル推定値を処理（例えば、逆インタリーブ及び復号）し、復号データを得る。エンコーダ９２２、変調器９２４、復調器９２６、及びデコーダ９２８は、モデムプロセッサ９２０によって実現されうる。そして、例えばコントローラ９４０、メモリ９４２、及びタイマ９４２とともに単一の特定用途向けＩＣ（ＡＳＩＣ）上に提供されうる。これらユニットは、システムによって指定されるような処理を行う。
【００７０】
コントローラ９４０は、端末１３０内の様々なユニットの動作を指示する。メモリユニット９４２は、コントローラ９４０及び他のユニットによって使用されるプログラムコード及びデータを格納する。タイマ９４４は、１つのシステム（例えば１ｘＥＶ−ＤＯシステム）にアクセスプローブをいつ送るかと、別のシステム（例えば１ｘＥＶ−ＤＶシステム）にいつチューンアウェイするかを決定するために使用されるタイミング情報を提供する。コントローラ９４０は、１ｘＥＶ−ＤＶシステム又は図８に示す処理８００をモニタしながら、１ｘＥＶ−ＤＯシステムにアクセスするために図７に示す処理７００を実行しうる。
【００７１】
本明細書に記載するチューンアウェイ機能を用いたアクセス技術は、様々な手段によって実施されうる。例えば、これらの技術は、ハードウェア、ソフトウェア、あるいはこれらの組み合わせで実施されうる。ハードウェア実施の場合、１つのシステムにアクセスするため、あるいは、別のシステムをモニタするため等に使用される処理ユニットは、１又は複数のＡＳＩＣ、デジタルシグナルプロセッサ（ＤＳＰ）、デジタル信号処理デバイス（ＤＳＰＤ）、プログラム可能論理回路（ＰＬＤ）、フィールドプログラム可能ゲートアレー（ＦＰＧＡ）、プロセッサ、コントローラ、マイクロコントローラ、マイクロプロセッサ、電子デバイス、本明細書で記載した機能を実行するために設計されたその他の電子ユニット、又はこれらの組み合わせ内で実施されうる。
【００７２】
ソフトウェア実施の場合、チューンアウェイ機能を用いたアクセス技術が、本明細書に記載した機能を実行するモジュール（例えば、プロシージャ、機能等）を用いて実施されうる。ソフトウェアコードは、メモリユニット（例えば、図９におけるメモリユニット９４２）に格納され、プロセッサ（例えば、コントローラ９４０）によって実行されうる。メモリユニットは、プロセッサ内部、又はプロセッサの外部に実装されうる。
【００７３】
記載した実施形態に対する様々な変形は当業者に容易に明らかになり、本明細書で定義した一般原理は、本発明の精神又は範囲から逸脱することなく他の実施形態にも適用されうる。
【図面の簡単な説明】
【００７４】
【図１】図１は、１ｘＥＶ−ＤＶシステム及び１ｘＥＶ−ＤＯシステムを備えた構成を示す。
【図２】図２は、１ｘＥＶ−ＤＶシステムにおけるページングチャネル用のスケジュールを示す。
【図３】図３は、１ｘＥＶ−ＤＯシステムへアクセスするためのスケジュールを示す。
【図４】図４は、１ｘＥＶ−ＤＶページングチャネルのモニタリング、及び、従来式端末による１ｘＥＶ−ＤＯシステムへのアクセスを示す。
【図５】図５は、チューンアウェイ（tune-away）機能を用いたアクセスプローブの送信を示す。
【図６】図６は、チューンアウェイ機能を用いたアクセス手順のスケジュールを示す。
【図７】図７は、チューンアウェイ機能を備えた１ｘＥＶ−ＤＯシステムが、１ｘＥＶ−ＤＶシステムへアクセスするプロセスを示す。
【図８】図８は、チューンアウェイ機能を用いてシステムにアクセスするプロセスを示す。
【図９】図９は、ハイブリッド端末のブロック図を示す。
【図１】
2008538663.tif 000016
【図２】
2008538663.tif 000017
【図３】
2008538663.tif 000018
【図４】
2008538663.tif 000019
【図５】
2008538663.tif 000020
【図６】
2008538663.tif 000021
【図７】
2008538663.tif 000022
【図８】
2008538663.tif 000023
【図９】
2008538663.tif 000024
【国際調査報告】
2008538663.tif 000025
2008538663.tif 000026